(57)【特許請求の範囲】
【請求項１】
背負式作業機（１）の作業機本体部（１０）に背負バンド（１２）が取り付けられた取付構造（Ａ）において、
前記作業機本体部（１０）の上部（２）に上端部（１４ａ）が、前記作業機本体部（１０）の下部（６）に下端部（１４ｂ，１４ｂ）が係止される左右一対のバンド部（１４，１４）を備え、
前記作業機本体部（１０）の前記下部（６）の前壁部（６ｂ）には、上下方向に向いて略平行に、または、上方に向かうにつれて互いに離間するように傾斜して延びる左右一対の長孔（２０，２０）が設けられ、
前記作業機本体部（１０）の前記前壁部（６ｂ）は、前記長孔（２０，２０）が設けられたそれぞれの箇所において左右方向線に対し傾斜しており、左側の長孔（２０）が設けられた前記前壁部（６ｂ）の法線は左斜め前方を向き、右側の長孔（２０）が設けられた前記前壁部（６ｂ）の法線は右斜め前方を向いており、
前記バンド部（１４，１４）の前記下端部（１４ｂ，１４ｂ）は、上下方向に向けられて略平行な状態で、または、上方に向かうにつれて互いに離間するように傾斜した状態で、前記作業機本体部（１０）の前記長孔（２０，２０）に通されて係止されていることを特徴とする背負バンド（１２）の取付構造。
【請求項２】
前記バンド部（１４，１４）の前記下端部（１４ｂ，１４ｂ）には、前記下端部（１４ｂ，１４ｂ）が前記長孔（２０，２０）を通り前記前壁部（６ｂ）の後面側に配置された状態で、前記長孔（２０，２０）の幅よりも大きい直径を有する棒状部材（２１）が取付けられており、
前記長孔（２０，２０）の上下および／または左右には、前記棒状部材（２１）に隣接して前記前壁部（６ｂ）の後面側に突出する凸部（２３，２４）が設けられていることを特徴とする請求項１に記載の背負バンド（１２）の取付構造。
【請求項３】
背負式作業機（１）の作業機本体部（１０）に背負バンド（１２）が取り付けられた取付構造（Ａ）において、
前記作業機本体部（１０）の上部（２）に上端部（１４ａ）が、前記作業機本体部（１０）の下部（６）に下端部（１４ｂ，１４ｂ）が係止される左右一対のバンド部（１４，１４）と、
前記作業機本体部（１０）を背負った作業者の体に対面する前記バンド部（１４，１４）の裏面側に配置されて、前記バンド部（１４，１４）の長手方向に沿って固定された上部クッションパッド（１５）および下部クッションパッド（１６）と、を備え、
前記バンド部（１４，１４）の前記下端部（１４ｂ，１４ｂ）は、上下方向に向けられて略平行な状態で、または、上方に向かうにつれて互いに離間するように傾斜した状態で、前記作業機本体部（１０）の前記下部（６）に係止されており、
前記バンド部（１４，１４）は、前記上端部（１４ａ）を含む第１のバンド片（１４ｃ）と前記下端部（１４ｂ，１４ｂ）を含む第２のバンド片（１４ｄ）とを有し、前記第１のバンド片（１４ｃ）と前記第２のバンド片（１４ｄ）との間に設けられたアジャスタ（１７）によって長さ調節可能になっており、
上部クッションパッド（１５）が前記第１のバンド片（１４ｃ）に固定され、前記下部クッションパッド（１６）が前記第２のバンド片（１４ｄ）に固定されていることを特徴とする背負バンド（１２）の取付構造。
【発明の詳細な説明】
【技術分野】
【０００１】
本発明は、背負式作業機の作業機本体部に背負バンドが取り付けられた取付構造に関する。
【背景技術】
【０００２】
背負バンドの取付構造として、下記特許文献１，２に記載された構造が知られている。特許文献１に記載された構造では、背負バンドの上側の端部が、タンクの前側の上端部に設けられた上側バンド取付部に着脱自在に連結されている。背負バンドの下側の端部は、架台の前側の下端部に設けられた下側バンド取付部に着脱自在に連結されている。下側バンド取付部では、ナスカン金具が用いられている。特許文献２に記載された構造では、上側バンド取付部において、タンクの前面に凹部が形成され、凹部内にバーが架設されている。バーと凹部の底面との間の隙間に、背負バンドの上端部に形成された筒部を挿入し、隙間を通された後の筒部に丸棒状のピンを挿入する。ピンの直径は隙間よりも大きいため、ピンがバーに係止され、凹部内に収容される。このようにして、背負バンドの上端部がタンクに取り付けられる。
【先行技術文献】
【特許文献】
【０００３】
【特許文献１】特開２０１４−３０４０４号公報
【特許文献２】特開２００７−３８０６６号公報
【発明の概要】
【発明が解決しようとする課題】
【０００４】
特許文献１に記載の構造では、下側バンド取付部用いられたナスカン金具が作業者に接触しないよう、金具を取り付ける箇所を作業者の体の幅より外側に配置する必要があった。そのため、背負バンドが作業者の体にフィットしにくく、作業機本体部との一体感を十分に得ることは難しかった。
【０００５】
本発明は、作業機本体部との一体感を十分に得ることができる背負バンドの取付構造を提供することを目的とする。
【課題を解決するための手段】
【０００６】
本発明は、背負式作業機（１）の作業機本体部（１０）に背負バンド（１２）が取り付けられた取付構造（Ａ）において、作業機本体部（１０）の上部（２）に上端部（１４ａ）が、作業機本体部（１０）の下部（６）に下端部（１４ｂ，１４ｂ）が係止される左右一対のバンド部（１４，１４）を備え、作業機本体部（１０）の下部（６）の前壁部（６ｂ）には、上下方向に向いて略平行に、または、上方に向かうにつれて互いに離間するように傾斜して延びる左右一対の長孔（２０，２０）が設けられ、作業機本体部（１０）の前壁部（６ｂ）は、長孔（２０，２０）が設けられたそれぞれの箇所において左右方向線に対し傾斜しており、左側の長孔（２０）が設けられた前壁部（６ｂ）の法線は左斜め前方を向き、右側の長孔（２０）が設けられた前壁部（６ｂ）の法線は右斜め前方を向いており、バンド部（１４，１４）の下端部（１４ｂ，１４ｂ）は、上下方向に向けられて略平行な状態で、または、上方に向かうにつれて互いに離間するように傾斜した状態で、作業機本体部（１０）の長孔（２０，２０）に通されて係止されていることを特徴とする。
【０００７】
この背負バンド（１２）の取付構造（Ａ）によれば、バンド部（１４，１４）の下端部（１４ｂ，１４ｂ）は作業機本体部（１０）の下部（６）に係止されているため、ナスカン等の金具を用いる必要がない。よって、バンド部（１４，１４）の下端部（１４ｂ，１４ｂ）が係止される箇所を作業者の体の幅より狭い位置に配置することができる。しかも、左右一対のバンド部（１４，１４）の下端部（１４ｂ，１４ｂ）は、上下方向に向けられて略平行な状態で、または、上方に向かうにつれて互いに離間するように傾斜した状態で、作業機本体部（１０）の下部（６）に係止されるため、バンド部（１４，１４）の幅方向が縦向きになることで作業者の体の側部にフィットしやすくなっている。この構造により、作業者は、作業機本体部（１０）との一体感を十分に得ることができる。バンド部（１４，１４）の下端部（１４ｂ，１４ｂ）を長孔（２０，２０）に通すことで、作業機本体部（１０）の下部（６）に容易に取り付けることができる。また、背負バンド（１２）が作業者の体に密着するよう、下端部（１４ｂ，１４ｂ）を作業者の体の幅より狭い位置に係止させた場合、その下端部（１４ｂ，１４ｂ）は、左右の斜め前方に引っ張られる。上記の構成によれば、前壁部（６ｂ）が背負バンド（１２）の引張り方向に略垂直になり、長孔（２０，２０）に対する下端部（１４ｂ，１４ｂ）の係止が確実に行われる。
【００１０】
バンド部（１４，１４）の下端部（１４ｂ，１４ｂ）には、下端部（１４ｂ，１４ｂ）が長孔（２０，２０）を通り前壁部（６ｂ）の後面側に配置された状態で、長孔（２０，２０）の幅よりも大きい直径を有する棒状部材（２１）が取付けられており、長孔（２０，２０）の上下および／または左右には、棒状部材（２１）に隣接して前壁部（６ｂ）の後面側に突出する凸部（２３，２４）が設けられている。この場合、バンド部（１４，１４）の下端部（１４ｂ，１４ｂ）に棒状部材（２１）が取り付けられることで、その下端部（１４ｂ，１４ｂ）および棒状部材（２１）が一緒になって、前壁部（６ｂ）の後面側で長孔（２０，２０）に係止される。長孔（２０，２０）の上下および／または左右に設けられた凸部（２３，２４）により、棒状部材（２１）の脱落または位置ずれが防止される。
【００１１】
本発明は、背負式作業機（１）の作業機本体部（１０）に背負バンド（１２）が取り付けられた取付構造（Ａ）において、作業機本体部（１０）の上部（２）に上端部（１４ａ）が、作業機本体部（１０）の下部（６）に下端部（１４ｂ，１４ｂ）が係止される左右一対のバンド部（１４，１４）と、作業機本体部（１０）を背負った作業者の体に対面するバンド部（１４，１４）の裏面側に配置されて、バンド部（１４，１４）の長手方向に沿って固定された上部クッションパッド（１５）および下部クッションパッド（１６）と、を備え、バンド部（１４，１４）の下端部（１４ｂ，１４ｂ）は、上下方向に向けられて略平行な状態で、または、上方に向かうにつれて互いに離間するように傾斜した状態で、作業機本体部（１０）の下部（６）に係止されており、バンド部（１４，１４）は、上端部（１４ａ）を含む第１のバンド片（１４ｃ）と下端部（１４ｂ，１４ｂ）を含む第２のバンド片（１４ｄ）とを有し、第１のバンド片（１４ｃ）と第２のバンド片（１４ｄ）との間に設けられたアジャスタ（１７）によって長さ調節可能になっており、上部クッションパッド（１５）が第１のバンド片（１４ｃ）に固定され、下部クッションパッド（１６）が第２のバンド片（１４ｄ）に固定されていることを特徴とする。この場合、クッションパッド（１６）がバンド部（１４，１４）と作業者の体の間に配置されて、作業者の体に当接するため、作業機本体部（１０）の背負い心地が向上する。アジャスタ（１７）によってバンド部（１４，１４）の長さが調節可能であるが、下部クッションパッド（１６）はアジャスタ（１７）よりも下端側の第２のバンド片（１４ｄ）に固定されているため、下端部（１４ｂ）から下部クッションパッド（１６）までの距離は不変である。よって、作業者の体の側部に当接する下部クッションパッド（１６）は、支障なくクッション機能を発揮することができる。
【発明の効果】
【００１３】
本発明によれば、作業機本体部（１０）との一体感を十分に得ることができる。
【図面の簡単な説明】
【００１４】
【図１】本発明の背負バンドの取付構造が適用された背負式動力噴霧機を示す斜視図である。
【図２】図１の背負式動力噴霧機の後方斜視図である。
【図３】図１の背負式動力噴霧機の正面図である。
【図４】図１中の架台の後方斜視図である。
【図５】一対の背負バンドの正面図である。
【図６】背負バンドの側面図である。
【図７】（ａ）〜（ｃ）は、バンド部の下端部を前壁部に係止する手順を示す図である。
【図８】バンド部の下端部の取付構造の平断面図である。
【発明を実施するための形態】
【００１５】
以下、本発明の実施形態について、図面を参照しながら説明する。以下の説明において、上下、前後、および左右の語は、装置を背負った作業者を基準とした方向を表す。
【００１６】
図１および図２に示されるように、背負式作業機である背負式動力噴霧機１は、作業者が薬剤タンク２および架台６等からなる噴霧機本体部１０を背負いながら、薬剤タンク２内に貯留された薬剤（薬液）を噴霧するものである。背負式動力噴霧機１の噴霧機本体部１０は、薬剤タンク２と、架台６と、架台６に搭載されたエンジン３およびポンプ４等を備えている。また、背負式動力噴霧機１は、噴霧機本体部１０から送り出された薬剤を作業者の手元まで伝送する噴霧ホースと、噴霧ホースの端部に設けられた噴霧ノズルとを備えている。噴霧機本体部１０の前面には、作業者の背中に当接しクッション性を有する背当て部材が取り付けられている。なお、図面において、これらの噴霧ホース、噴霧ノズルおよび背当て部材は取り外されている。
【００１７】
噴霧機本体部１０の上部を構成する薬剤タンク２と、噴霧機本体部１０の下部を構成する架台６とは、円筒状部材からなる連結部１１によって連結されている。薬剤タンク２および架台６は、左右方向に延びる軸線Ｌを中心にして相対的に回動可能になっている。すなわち、薬剤タンク２は、前傾が可能ないわゆるスイングタンクとされている。
【００１８】
図３に示されるように、噴霧機本体部１０において、上部に配置された薬剤タンク２の左右方向の幅が大きくなっており、下部に配置された架台６の左右方向の幅は比較的小さくなっている。薬剤タンク２の幅は、作業者の上半身の上部（たとえば肩部等）の幅と同等である。架台６の幅は、作業者の上半身の下部（たとえば腰または体側部等）の幅と同等である。言い換えれば、噴霧機本体部１０は、左右方向において、作業者の上半身と同等なコンパクトな（スリムな）形状になっている。なお、ここでいう作業者の上半身の大きさとは、一般的な大人の体の大きさの意である。
【００１９】
図４は、架台６の後方斜視図である。図４に示されるように、架台６は、薬剤タンク２の下方に配置されており、エンジン３およびポンプ４等が固定された矩形状のベース部６ａと、ベース部６ａの前端に連設されて上下方向に延在する前壁部６ｂとを有している。図１に示されるように、噴霧機本体部１０の底部をなすベース部６ａと、ベース部６ａに略直交して設けられたベース部６ａとの間に、エンジン３およびポンプ４が搭載されている。ベース部６ａは、噴霧機本体部１０を地面に載置する際の台座としても機能する。架台６は、たとえば合成樹脂等により成形されている。
【００２０】
図１および図２に示されるように、ベース部６ａと前壁部６ｂの上端との間には、左右一対のステー７，７が固定されている。ステー７は逆Ｌ字状をなしており、架台６の左右側部に取り付けられている。このステー７には、薬剤タンク２が載置される。ステー７は、作業者が噴霧機本体部１０を背負わずに持ち運ぶ際の取っ手としても機能する。
【００２１】
背負式動力噴霧機１は、噴霧機本体部１０に取り付けられた左右一対の背負バンド１２，１２を備えている。背負バンド１２，１２のそれぞれは、たとえば一定の幅を有する帯状のバンド部１４を有している。背負バンド１２の取付構造Ａでは、バンド部１４，１４の上端部１４ａ，１４ａは、薬剤タンク２の前側の上部に左右対称に設けられた一対の上側バンド取付部１３ａ，１３ａにより、薬剤タンク２に着脱自在に係止されている。バンド部１４，１４の下端部１４ｂ，１４ｂは、架台６の前壁部６ｂの下端部に左右対称に設けられた一対の下側バンド取付部１３ｂ，１３ｂにより、架台６に着脱自在に係止されている。
【００２２】
背負バンド１２，１２のそれぞれは、バンド部１４の長手方向に沿って固定された上部クッションパッド１５および下部クッションパッド１６を備えている。上部クッションパッド１５および下部クッションパッド１６は、作業者の体に対面するバンド部１４の裏面側に配置されている。
【００２３】
図５および図６を参照して背負バンド１２についてより詳しく説明すると、背負バンド１２のバンド部１４は、上端部１４ａを含む上部バンド片（第１のバンド片）１４ｃと、下端部１４ｂを含む下部バンド片（第２のバンド片）１４ｄとを有している。上部バンド片１４ｃと下部バンド片１４ｄとは、これらの間に設けられたアジャスタ１７を介して連結されている。アジャスタ１７に通された下部バンド片１４ｄの他端１４ｅを引き出すか、または他端１４ｅを下端部１４ｂ側に繰り出すことにより、バンド部１４の長さ調節が可能になっている。
【００２４】
上部クッションパッド１５は、縫い目１５ａによって上部バンド片１４ｃに固定されている。下部クッションパッド１６は、縫い目１６ａによって下部バンド片１４ｄに固定されている。下部クッションパッド１６は、アジャスタ１７と下端部１４ｂとの間の位置に配置されているので、アジャスタ１７による長さ調節によらず、下端部１４ｂから下部クッションパッド１６までの距離は不変である。
【００２５】
図２〜図４を参照して、上側バンド取付部１３ａおよび下側バンド取付部１３ｂについて説明する。図３に示されるように、薬剤タンク２の前側の上部には、一対の凹部１８が設けられており、この凹部１８の左右の壁部間に、丸棒状のバー１９が固定されている。上側バンド取付部１３ａでは、バンド部１４の上端部１４ａがバー１９と凹部１８の底部との間の隙間に上側から通された後、筒状とされた上端部１４ａ（図６参照）に芯棒金具（図示せず）が挿入される。芯棒金具および上端部１４ａがバー１９に係合することにより、上端部１４ａが薬剤タンク２に係止・固定されている。すなわち、凹部１８、バー１９および芯棒金具によって、取付構造Ａの上側バンド取付部１３ａが構成されている。
【００２６】
図３および図４に示されるように、噴霧機本体部１０の下部である架台６の前壁部６ｂの下端部には、一対の長孔２０，２０が左右対称に設けられている。スリット形状の長孔２０の長さは、バンド部１４すなわち下端部１４ｂの幅よりも長くなっている。長孔２０の幅は、バンド部１４を二枚重ねた厚さよりも若干大きくなっている。この構造により、バンド部１４の筒状をなす下端部１４ｂ（図６参照）は、長孔２０に挿通可能である。
【００２７】
一対の長孔２０，２０の間隔は、幅狭とされた架台６の前壁部６ｂに形成されているため、作業者の上半身の下部（たとえば腰または体側部等）の幅よりも狭くなっている。すなわち、噴霧機本体部１０が作業者によって背負われた際、一対の長孔２０，２０は、作業者の腰または背中に対面して腰または背中によって覆われることになり、作業者の腰または背中の左右側方には突出しない。別の観点では、一対の長孔２０，２０は、上側バンド取付部１３ａにおける一対の凹部１８，１８と、左右方向において略等しい位置に配置されている（図３参照）。
【００２８】
一対の長孔２０，２０は、上方に向かうにつれて互いに離間するように傾斜して延びている。言い換えれば、一対の長孔２０，２０は、正面視で逆ハの字状をなしている。上下方向線に対する長孔２０の延在方向の傾斜角度は、たとえば０度以上４５度以下である。このように、長孔２０が、上下方向に近い方向に傾斜することで、幅狭な間隔で設けられた長孔２０に下端部１４ｂが係止された際、下部バンド片１４ｄが、作業者の腰または体側部等に側方から面状に当接する。
【００２９】
図７（ｂ）に示されるように、下側バンド取付部１３ｂでは、バンド部１４の下端部１４ｂが長孔２０に前側から通され、前壁部６ｂの後面側に配置されて筒状とされた下端部１４ｂに、たとえば円柱状の芯棒金具（棒状部材）２１が挿入される。芯棒金具２１の直径は、長孔２０の幅よりも大きい。なお、長孔２０の位置に対応するベース部６ａの前端部には、芯棒金具２１を挿入するための矩形状の開口２２（図７（ａ）参照）が設けられている。そして、図７（ｃ）に示されるように、バンド部１４が前方に引っ張られることで、下端部１４ｂが架台６に係止・固定される。
【００３０】
また、長孔２０の上下には、芯棒金具２１の上端および下端に隣接して前壁部６ｂの後面側に突出するリブ（凸部）２３，２３が設けられている。リブ２３は、芯棒金具２１が長孔２０に係合した状態で芯棒金具２１の端面の少なくとも一部を覆う。リブ２３は、芯棒金具２１の脱落を防止する機能を有する。長孔２０の左右には、芯棒金具２１の左右の側面（周面）に隣接して前壁部６ｂの後面側に突出するリブ（凸部）２４，２４が設けられている。リブ２４は、長孔２０に沿って延在する突条である。リブ２４は、芯棒金具２１の位置決めをより確実とする機能を有する。以上説明した長孔２０、芯棒金具２１、リブ２３およびリブ２４によって、取付構造Ａの下側バンド取付部１３ｂが構成されている。
【００３１】
上記したように、バンド部１４，１４の一対の下端部１４ｂ，１４ｂは、上方に向かうにつれて互いに離間するように傾斜した状態で、架台６の前壁部６ｂに係止されている。この構成により、背負バンド１２は、上端部１４ａが作業者の肩部に当接するよう、上端部１４ａの幅方向は水平方向に近くなっている。一方、下端部１４ｂが作業者の腰部または体側部を包み込むよう、下端部１４ｂの幅方向は上下方向に近くなっている。このように、一連のバンド部１４として見た場合に、上下で常に約９０度の捩れを有している。また、下側バンド取付部１３ｂでは、ナスカン等の金具は用いられていない。そして、一定の幅を有して延びる下部バンド片１４ｄ（バンド部１４）が、架台６の前壁部６ｂに直接に（当接した状態で）連結されている。
【００３２】
ここで、図８を参照して、架台６の前壁部６ｂの詳細について説明する。架台６の前壁部６ｂは、長孔２０，２０が設けられたそれぞれの箇所において左右方向線に対し傾斜している。左側の長孔２０が設けられた前壁部６ｂの法線は左斜め前方を向き、右側の長孔２０が設けられた前壁部６ｂの法線は右斜め前方を向いている。前壁部６ｂの各箇所の左右方向線に対する傾斜角度αは、鋭角であり、たとえば４５度以下である。傾斜角度αは、２０度以下であってもよい。このような傾斜角度αをもった前壁部６ｂに長孔２０が形成されることで、バンド部１４，１４が左右の斜め前方に引っ張られた場合に、下端部１４ｂおよび芯棒金具２１の係止状態が安定する。
【００３３】
以上説明した背負バンド１２の取付構造Ａによれば、バンド部１４の下端部１４ｂは噴霧機本体部１０の架台６に係止されているため、ナスカン等の金具を用いる必要がない。バンド部１４の下端部１４ｂが係止される箇所は、作業者の体の幅より狭い位置に配置されている。しかも、左右一対のバンド部１４，１４の下端部１４ｂ，１４ｂは、上方に向かうにつれて互いに離間するように傾斜した状態で架台６に係止されるため、バンド部１４の幅方向が縦向きになることで作業者の体の側部にフィットしやすくなっている。この構造により、作業者は、作業機本体部との一体感を十分に得ることができる。
【００３４】
ナスカンが設けられた従来の取付構造では、作業者にナスカン金具が接触しないように、金具取付部を平均的な体の幅より外側に配置していたため、製品寸法が増大して高コスト化を招いていた。上記実施形態の取付構造Ａによれば、バンド部１４の差し込み用スリットである長孔２０，２０が作業者の平均的な体の幅より狭い位置に配置されているため、背負バンド１２が作業者を背中から包み込むようにホールドし、噴霧機本体部１０との一体感が向上している。しいては、作業負荷を低減させることができる。さらには、差し込み用スリットである長孔２０，２０が平均的な体の幅より狭い位置に配置されるため、よりコンパクトな製品設計ができ、コスト低減も図られている。取付構造Ａではナスカン金具等を用いないため、当該金具と製品と地面との噛み込みが起こることがない。しかも背負バンド１２が捩れにくい。
【００３５】
取付構造Ａでは、バンド部１４の下端部１４ｂを長孔２０に通すことで、噴霧機本体部１０の架台６に容易に取り付けることができる。
【００３６】
また、背負バンド１２が作業者の体に密着するよう、下端部１４ｂは作業者の体の幅より狭い位置に係止させたている。そして、下端部１４ｂは、左右の斜め前方に引っ張られる（図８参照）。この構成によれば、前壁部６ｂが背負バンド１２の引張り方向に略垂直になり、長孔２０に対する下端部１４ｂの係止が確実に行われる。
【００３７】
また、バンド部１４の下端部１４ｂに芯棒金具２１が取り付けられることで、下端部１４ｂおよび芯棒金具２１が一緒になって、前壁部６ｂの後面側で長孔２０に係止される。長孔２０の上下および左右に設けられたリブ２３，２４により、芯棒金具２１の脱落または位置ずれが防止される。
【００３８】
さらには、下部クッションパッド１６がバンド部１４と作業者の体の間に配置されて、作業者の体に当接するため、噴霧機本体部１０に対する一体感および噴霧機本体部１０の背負い心地が向上している。
【００３９】
アジャスタ１７によってバンド部１４の長さが調節可能であるが、下部クッションパッド１６はアジャスタ１７よりも下端側の下部バンド片１４ｄに固定されているため、下端部１４ｂから下部クッションパッド１６までの距離は不変である。よって、作業者の体の側部に当接する下部クッションパッド１６は、使用状況に関わらず、いつでも支障なくクッション機能を発揮することができる。
【００４０】
以上、本発明の実施形態について説明したが、本発明は上記実施形態に限定されるものではない。たとえば、長孔２０，２０のそれぞれは、上下方向に向いて略平行に設けられてもよい。すなわち、バンド部１４の下端部１４ｂは、上下方向に向けられて略平行な状態で架台６に係止されてもよい。長孔２０が設けられて下端部１４ｂが長孔２０に通される場合に限られず、前壁部６ｂに形成された係合凹部に、下端部１４ｂが係合してもよい。たとえばボタン等によって、下端部１４ｂが前壁部６ｂに直接取り付けられてもよい。
【００４１】
上記実施形態では、下側バンド取付部１３ｂにおいて、筒状とされた下端部１４ｂに、円柱状の芯棒金具２１が挿入される場合について説明したが、これに限られず、帯状のバンド部に柱状体が嵌合または接合されてもよい。リブ２３やリブ２４を省略してもよい。長孔２０が形成された架台６の前壁部６ｂは、左右方向線に対して傾斜していなくてもよい。すなわち、前壁部６ｂが左右方向に延びる平坦面であってもよい。
【００４２】
上部バンド片１４ｃ、下部バンド片１４ｄおよびアジャスタ１７を備える場合に限られず、単一のバンド片からなる背負バンドであって長さの調節機能を有していなくてもよい。クッションパッドが設けられなくてもよい。クッションパッドが省略され、バンド部１４自体がクッション性を有する素材から成っていてもよい。
【００４３】
上記実施形態においては、本発明は、液体状の薬剤を噴霧するための背負式動力噴霧機１に適用されているが、粉末状の薬剤を散布するための背負式動力散布機等に適用されてもよい。本発明は、スイングタンク及び架台を有する背負式作業機に適用されてもよく、タンクや架台を有しない背負式作業機に適用されてもよい。
【符号の説明】
【００４４】
１…背負式動力噴霧機（背負式作業機）、２…薬剤タンク（上部）、６…架台（下部）、６ｂ…前壁部、１０…噴霧機本体部（作業機本体部）、１２…背負バンド、１４…バンド部、１４ａ…上端部、１４ｂ…下端部、１４ｃ…上部バンド片（第１のバンド片）、１４ｄ…下部バンド片（第２のバンド片）、１６…下部クッションパッド、１７…アジャスタ、２０…長孔、２１…芯棒金具（棒状部材）、２３…リブ（凸部）、２４…リブ（凸部）、Ａ…背負バンドの取付構造。
【図１】
0006262638.tif 000002
【図２】
0006262638.tif 000003
【図３】
0006262638.tif 000004
【図４】
0006262638.tif 000005
【図５】
0006262638.tif 000006
【図６】
0006262638.tif 000007
【図７】
0006262638.tif 000008
【図８】
0006262638.tif 000009